(57)【要約】      （修正有）【課題】伸縮ハンドル及びキャリアーを用いてスーツケースを走行させる際に、手首への負担を軽減することができる構造のスーツケースを提供する。【解決手段】ケース本体と、ケース本体の開口を塞ぐ蓋体と、ケース本体に引き出し可能に設けられる伸縮ハンドルと、ケース本体の底と蓋体の底にキャスターを備えスーツケースにおいて、伸縮ハンドルは、ケース本体に取付けられる２本のガイド筒と、ガイド筒に引き出し可能に収納される２本のバーと、バーの先端に取付けられ使用者が手を掛ける取っ手とを備え、取っ手３０は環状体とする。スーツケースを傾けて引く場合には、横棒部４６を握り、スーツケースを立てた状態で移動する場合には、縦棒部４７を握る。何れの場合も、手には引張り力（又は圧縮力）が掛かり、曲げ力が掛からないので、手首の負担が軽減される。【選択図】図５
0003209499.tif 000002
【実用新案登録請求の範囲】
【請求項１】
ケース本体と、このケース本体の開口を塞ぐ蓋体と、前記ケース本体に引き出し可能に設けられる伸縮ハンドルと、前記ケース本体の底に設けられる２個のキャスターと、前記蓋体の底に設けられる２個のキャスターとを備えているスーツケースにおいて、
前記伸縮ハンドルは、前記ケース本体に取付けられる２本のガイド筒と、これらのガイド筒に引き出し可能に収納される２本のバーと、これらのバーの先端に取付けられ使用者が手を掛ける取っ手とを備え、
前記取っ手は、環状体であることを特徴とするスーツケース。
【請求項２】
前記環状体は、中空体であって、少なくとも一部が透明部とされ、前記中空体にライト及び電池を内蔵すると共に前記電池の給電を入り切りするスイッチを備えていることを特徴とする請求項１記載のスーツケース。
【請求項３】
前記透明部は、前記環状体の中心に面する部位に設けられていることを特徴とする請求項２記載のスーツケース。
【請求項４】
前記スイッチは、前記灯体の連続点灯−断続点灯−消灯を切り換え可能なプッシュ−プッシュスイッチであることを特徴とする請求項２又は請求項３記載のスーツケース。
【請求項５】
前記環状体は、正円であることを特徴とする請求項１〜４のいずれか１項記載のスーツケース。
【請求項６】
前記環状体は、多角形であることを特徴とする請求項１〜４のいずれか１項記載のスーツケース。
【請求項７】
前記多角形は、水平な上辺と、この上辺から斜めに下がる上側斜辺と、この上側斜辺から斜めに下がる下側斜辺と、一対の下側斜辺を繋ぐ水平な下辺とからなる六角形であることを特徴とする請求項６記載のスーツケース。
【考案の詳細な説明】
【技術分野】
【０００１】
本考案は、スーツケースに備える伸縮ハンドルの改良技術に関する。
【背景技術】
【０００２】
スーツケースは、手で持ち上げる他、底に備えたキャスターで床上を走行させる構造のものが普及してきた（例えば、特許文献１（図３）参照）。
【０００３】
特許文献１を図８に基づいて説明する。
図８は従来のスーツケースの基本構成及び作用を説明する図である。
図８（ａ）に示すように、スーツケース１００は、ケース本体１０１と、このケース本体１０１の開口を塞ぐ蓋体１０２と、底に附属されるキャスター１０３、１０４と、伸縮ハンドル１０５と、非伸縮式のハンドル１０６、１０７とを備えている。
【０００４】
スーツケース１００を手で持ち上げる場合は、ハンドル１０６又は１０７を使用する。
スーツケース１００をキャスター１０３で走行させる場合は、伸縮ハンドル１０５を使用する。伸縮ハンドル１０５の使用形態を、図８（ｂ）、（ｃ）で説明する。
【０００５】
図８（ｂ）に示すように、スーツケース１００を傾ける。すなわち、キャスター１０４は床１０８がら浮かせた状態とし、この状態で伸縮ハンドル１０５を手１０９で引く。
手１０９で握りやすいように、図８（ａ）で示すように、伸縮ハンドル１０５は、門型（コの字形）とされる。
【０００６】
ところで、近年、図８（ｃ）に示すように、スーツケース１００を傾けないで、立てたままで移動する使用形態が見られるようになってきた。手１０９に下向きの力が掛からないという利点がある。しかし、矢印（→）で示す移動方向に対して手１０９が直交しているため、手首に曲げ力が掛かる。スーツケース１００が重くなるほど手首に加わる曲げ力が大きくなる。手は引きや押しに強く、曲げに弱い。
【０００７】
スーツケースが大型化し重くなる傾向にある中、手首への負担を軽減することができる構造のスーツケースが求められる。
【先行技術文献】
【特許文献】
【０００８】
【特許文献１】特開２０１５−２１７０３４号公報
【考案の概要】
【考案が解決しようとする課題】
【０００９】
本考案は、伸縮ハンドル及びキャリアーを用いてスーツケースを走行させる際に、手首への負担を軽減することができる構造のスーツケースを提供することを課題とする。
【課題を解決するための手段】
【００１０】
請求項１に係る考案は、ケース本体と、このケース本体の開口を塞ぐ蓋体と、前記ケース本体に引き出し可能に設けられる伸縮ハンドルと、前記ケース本体の底に設けられる２個のキャスターと、前記蓋体の底に設けられる２個のキャスターとを備えているスーツケースにおいて、
前記伸縮ハンドルは、前記ケース本体に取付けられる２本のガイド筒と、これらのガイド筒に引き出し可能に収納される２本のバーと、これらのバーの先端に取付けられ使用者が手を掛ける取っ手とを備え、前記取っ手は、環状体であることを特徴とする。
【００１１】
請求項２に係る考案では、環状体は、中空体であって、少なくとも一部が透明部とされ、中空体にライト及び電池を内蔵すると共に電池の給電を入り切りするスイッチを備えていることを特徴とする。
【００１２】
請求項３に係る考案では、透明部は、環状体の中心に面する部位に設けられていることを特徴とする。
【００１３】
請求項４に係る考案では、スイッチは、灯体の連続点灯−断続点灯−消灯を切り換え可能なプッシュ−プッシュスイッチであることを特徴とする。
【００１４】
請求項５に係る考案では、環状体は、正円であることを特徴とする。
【００１５】
請求項６に係る考案では、環状体は、多角形であることを特徴とする。
【００１６】
請求項７に係る考案では、多角形は、水平な上辺と、この上辺から斜めに下がる上側斜辺と、この上側斜辺から斜めに下がる下側斜辺と、一対の下側斜辺を繋ぐ水平な下辺とからなる六角形であることを特徴とする。
【考案の効果】
【００１７】
請求項１に係る考案では、取っ手を環状体にした。環状体であれば、使用者は環状体の任意の部位を握ることができる。４個のキャリアーでスーツケースを走行させ且つ手で押す又は引く場合に、手に引張り力又は圧縮力が加わり、手首に曲げ力が掛かる心配はない。
よって、本考案によれば、手首への負担を軽減することができる構造のスーツケースを提供することができる。
【００１８】
請求項２に係る考案では、環状体は、中空体であって、少なくとも一部が透明部とされ、中空体にライト及び電池を内蔵すると共に電池の給電を入り切りするスイッチを備えている。
街灯がなく暗い夜道を歩くときに、環状体が光っていれば、周囲に自己の存在を周知させることができる。
【００１９】
請求項３に係る考案では、透明部は、環状体の中心に面する部位に設けられている。
光が直接目に入ると、周囲の人や車の運転者に迷惑がかかる。この点、本考案では、光が環状体の中心に向くため、周囲の人や車の運転者に迷惑がかかる心配はない。
【００２０】
請求項４に係る考案では、スイッチは、灯体の連続点灯−断続点灯−消灯を切り換え可能なプッシュ−プッシュスイッチである。プッシュ−プッシュスイッチ１個で連続点灯−断続点灯−消灯の切り換えが可能となる。切り換えスイッチの個数を減らすことができる。
なお、連続点灯であれば、暗がりで小物や鍵穴を照らすことができ、これらを容易に探すことができる。
また、断続点灯であれば、周囲に注意を促すことができると共に電池の消耗を減らすことができる。
【００２１】
請求項５に係る考案では、環状体は、正円である。環状体は、正円の他、楕円、長円、角が丸い角枠であってもよいが、正円であれば、握る部位が限定されない。すなわち、何処を握ってもよい。結果、使い勝手がよくなる。
【００２２】
請求項６に係る考案では、環状体は、多角形である。多角形であれば、握ることができる辺の数が多くなり、使い勝手がよくなる。加えて、握る部位が直線辺であるため、湾曲辺に比較して、握りやすい。
【００２３】
請求項７に係る考案では、多角形は、水平な上辺と、この上辺から斜めに下がる上側斜辺と、この上側斜辺から斜めに下がる下側斜辺と、一対の下側斜辺を繋ぐ水平な下辺とからなる六角形である。上辺と上側斜辺と下側斜辺とを任意に握ることができる。加えて、上辺、上側斜辺、下側斜辺の何れも直線辺であるため、湾曲辺に比較して、握りやすい。
【図面の簡単な説明】
【００２４】
【図１】本考案に係るスーツケースの斜視図である。
【図２】伸縮ハンドルの構成図である。
【図３】取っ手の分解図である。
【図４】取っ手の断面図である。
【図５】取っ手の変更例を示す図である。
【図６】取っ手の更なる変更例を示す図である。
【図７】取っ手の更なる変更例を示す図である。
【図８】従来技術に係るスーツケースの斜視図である。
【考案を実施するための形態】
【００２５】
本考案の実施の形態を添付図に基づいて以下に説明する。なお、図面は符号の向きに見るものとする。
【実施例】
【００２６】
図１に示すように、スーツケース１０は、物入れの主体であるケース本体１１と、このケース本体１１の開口を塞ぐ蓋体１２と、ケース本体１１に引き出し可能に設けられる伸縮ハンドル２０と、ケース本体１１の底に設けられる２個のキャスター１３（左奥の１個は見えない。）と、蓋体１２の底に設けられる２個のキャスター１４とを備えている。使用者が手でスーツケース１０を持ち上げるときに用いる非伸縮形のハンドル１５、１６も備えている。
【００２７】
伸縮ハンドル２０の詳細を図２に基づいて説明する。
図２（ａ）に示すように、伸縮ハンドル２０は、２本のガイド筒２１、２１と、これらのガイド筒２１、２１に引き出し可能に収納される２本のバー２２、２２と、これらのバー２２、２２の先端に取付けられ使用者が手を掛ける取っ手３０とを備えている。取っ手３０は環状体である。
【００２８】
加えて、２本のガイド筒２１、２１の下端に下部ブリッジ２３が渡され、上端に上部ブリッジ２４が渡されている。
下部ブリッジ２３はビス穴２５、２５を有するビス穴２５、２５を利用して下部ブリッジ２３をケース本体１１に取付けることができる。
上部ブリッジ２４は、下に凸の円弧形状を呈し、幅中央に取っ手３０の一部を収納する収納溝２６を有している。
【００２９】
バー２２は、中実棒と中空棒との何れであってもよい。中空棒の方が軽量であるため、推奨される。この例では、バー２２はテレスコピック型と呼ばれる多段式伸縮棒である。バー２２は１本の棒であってもよい。
ロック開放ノブ（図２（ｃ）、符号３１）を握りつつ、取っ手３０を押し下げると、バー２２がガイド筒２１に進入する。進入動作は、上部ブリッジ２４に取っ手３０が当たるまで続けられる。
【００３０】
図２（ｂ）に示すように、上部ブリッジ２４に取っ手３０が当たる。この状態が伸縮ハンドル２０の収縮状態となる。必要時に、ロック開放ノブ（図２（ｃ）、符号３１）を握りつつ、取っ手３０を引き上げて、図２（ａ）に戻すことができる。
図２（ｃ）に示すように、取っ手３０は正円の環状体である。そして、取っ手３０の内周面上部にロック開放ノブ３１を有し、内周面下部にライト操作子３２を有する。
【００３１】
次に、取っ手３０の内部構造を詳しく説明する。
図３に示すように、取っ手３０は、一対の半割筒体３３、３４で構成される。一対の半割筒体３３、３４は、樹脂成形品である。
一方の半割筒体３３には、複数個の突起３５が一体形成されている。そして、上部にロック開放ノブ３１が嵌められ、下部にライト操作子３２が嵌められ、上部と下部との間に、左右一対のライト３６、３６が取付けられる。
【００３２】
ライト３６は、端部に１個の発光ダイオード（ＬＥＤ）を備える導光材が好適である。導光材は乳白色の樹脂であり、発光ダイオード（ＬＥＤ）の発射光を導きつつ全体的に光る材料である。導光材の代わりに、複数個のＬＥＤを並べてもよい。よって、ライト３６の形態、個数は実施例に限定されるものではなく、任意に変更可能である。
【００３３】
ライト操作子３２に触れるようにしてスイッチ３７が配置される。この例では、ライト操作子３２に平行に電池（単３）３８が配置され、この電池３８に干渉しないようにして、ライト操作子３２の一端にスイッチ３７、他端にリターンばね３９が配置される。スイッチ３７、電池３８及びリターンばね３９は半割筒体３３に収納される。
【００３４】
スイッチ３７にはリターンスプリングが内蔵されているため、ライト操作子３２は、スイッチ３７とリターンばね３９とにより、スイッチ３７のＯＦＦ側へ付勢される。
人為的にスイッチ３７を押す（ＯＮ側へ押す）と、スイッチ３７がＯＮになる。例えば、スイッチ３７は、プッシュ−プッシュスイッチであり、１回押す毎に、消灯→連続点灯→断続点灯→消灯→連続点灯→断続点灯→のごとく切り替わる。
【００３５】
他方の半割筒体３４には、電池交換蓋４１と、複数の筒状雌部材４２とが一体形成されている。
電池交換蓋４１を開くことで、電池３８を換えることができる
【００３６】
図４に示すように、筒状雌部材４２に突起３５を嵌めることにより、半割筒体３３、３４同士を一体化し、円断面の取っ手３０を得ることができる。
なお、半割筒体３３、３４は、環状体の中心４４に面する部位が透明部４３、他の部位が不透明部となっている。二色成形法により、不透明な樹脂で不透明部を成形し、透明な樹脂で透明部４３を成形する。ライト３６を点灯すると、発光は、透明部４３を通過して中心４４に向かう。
【００３７】
図１にて、昼間や明るい室内では、ライト３６を点灯する必要はない。
夜間で照明がないような場所では、ライト３６を点灯する。すると、取っ手３０が光り、周囲の人や車へ周知させることができる。この場合、断続点灯が好ましい。断続点灯であればより注意を促すことができると共に電池３８の節約にもなる。
また、暗い部屋で鍵穴や小物を探す場合がある。このときには、連続点灯にすればよい。
【００３８】
本考案の取っ手３０は、図５に示すように、隅を丸めたような角枠であってもよい。角枠であれば、横棒部４６と縦棒部４７とが存在する。
スーツケース１０を傾けて引く場合（図８（ｂ）参照）には、手４８で横棒部４６を握ればよい。スーツケース１０を立てた状態で移動する場合（図８（ｃ）参照）には、縦棒部４７を握ればよい。
何れの場合も、手４８には引張り力（又は圧縮力）が掛かる。手４８に曲げ力が掛からない。
【００３９】
なお、取っ手３０を構成する環状体は、正円、角が丸い角枠の他、楕円や長円であってもよい。ただし、正円であれば、上、横の他、上と横の間も握ることができ、任意の部位を握ることができるため、隅が丸い角枠や楕円や長円よりも使い勝手がよくなる。
【００４０】
また、図４にて、防眩（まぶしさを減らすこと）を考慮して、半割筒体３３、３４の一部を透明部４３としたが、半割筒体３３、３４の全部を透明部４３もしくは半透明部にすることは差し支えない。
また、スイッチ３７は、断続点灯が不要であれば、消灯−点灯−消灯−点灯を繰り返す単純なＯＮ−ＯＦＦスイッチであってもよい。ＯＮ−ＯＦＦスイッチであれば極めて安価である。
【００４１】
さらには、図３にて、ライト操作子３２を省略して、スイッチ３７の一部を露出させ、手でスイッチ３７を直接操作するようにしてもよい。ただし、操作性を考えると、面積が大きなライト操作子３２を設けることが望ましい。
【００４２】
また、照明が不要であれば、図３から、ライト操作子３２、スイッチ３７、電池３８、リターンばね３９、ライト３６、３６を省く。そして、半割筒体３３、３４は、不透明の樹脂での射出成形（いわゆる単色成形）により製造する。金型費用が安価となり、製造コストを下げることができる。
【００４３】
次に、更なる変更例を図６、図７に基づいて説明する。
図６に示すように、取っ手３０Ｂは、六角形状の環状体であり、水平な上辺３０ａと、この上辺３０ａの端から斜めに下がる上側斜辺３０ｂと、この上側斜辺３０ｂから斜めに下がる下側斜辺３０ｃと、一対の下側斜辺３０ｃを繋ぐ水平な下辺３０ｄとからなる多角形である。その他、図２と共通する要素は、図２の符号を流用し、詳細な説明は省略する。
【００４４】
上辺３０ａと上側斜辺３０ｂとがなす内角αと、上側斜辺３０ｂと下側斜辺３０ｃとがなす内角βは、α＝βであれば、六角形は正六角形となる。正六角形でも差し支えないが、好ましくは、β＜αとする。結果、図示するように、取っ手３０Ｂの高さ寸法が小さくなり、上部ブリッジ２４に取っ手３０Ｂを載せたときの収納姿が綺麗になる。
【００４５】
使用者は、上辺３０ａ、上側斜辺３０ｂ及び下側斜辺３０ｃの何れかを選択的に握ることができる。特に、スーツケース１０を横から押す場合、背が高い使用者は上側斜辺３０ｂを握り、子供など背が低い使用者は下側斜辺３０ｃを握ることができる。
加えて、上辺３０ａ、上側斜辺３０ｂ及び下側斜辺３０ｃの何れも直線辺であるため、湾曲辺よりは、握りやすい。
【００４６】
また、図７（ａ）に示すように、取っ手３０Ｃは、六角形を維持しつつ、上側斜辺３０ｂと下側斜辺３０ｃとが交わる部位に、曲がり辺３０ｅを有している。この曲がり辺３０ｅを握ることができると共に角を丸めることで、利便性や外観性を高めることができる。
【００４７】
さらには、図７（ｂ）に示すように、取っ手３０Ｄは、八角形状を呈している。上辺３０ａ、上側斜辺３０ｂ及び下側斜辺３０ｃに加えて、上側斜辺３０ｂと下側斜辺３０ｃを繋ぐ縦辺３０ｆを握ることができる。
このように、取っ手３０は、正円のほか、六角形や八角形のような多角形であってもよい。多角形は、三角、四角、五角、六角など角数は任意である。多角形の場合、角を丸めることは、より好ましい。
【００４８】
なお、スーツケース１０は、角形カバン、トランクを含む広義のスーツケースである。
【産業上の利用可能性】
【００４９】
本考案は、重い大型のスーツケースに好適である。
【符号の説明】
【００５０】
１０...スーツケース
１１...ケース本体
１２...蓋体
１３...ケース本体に備えるキャスター
１４...蓋体に備えるキャスター
２０...伸縮ハンドル
２１...ガイド筒
２２...バー
３０、３０Ｂ、３０Ｃ、３０Ｄ...取っ手
３０ａ...上辺
３０ｂ...上側斜辺
３０ｃ...下側斜辺
３０ｄ...下辺
３６...ライト
３７...スイッチ
３８...電池
４３...透明部
４４...環状体の中心
【図１】
0003209499.tif 000003
【図２】
0003209499.tif 000004
【図３】
0003209499.tif 000005
【図４】
0003209499.tif 000006
【図５】
0003209499.tif 000007
【図６】
0003209499.tif 000008
【図７】
0003209499.tif 000009
【図８】
0003209499.tif 000010
【手続補正書】
【提出日】平成29年1月18日(2017.1.18)
【手続補正１】
【補正対象書類名】実用新案登録請求の範囲
【補正対象項目名】請求項４
【補正方法】変更
【補正の内容】
【請求項４】
前記スイッチは、前記ライトの連続点灯−断続点灯−消灯を切り換え可能なプッシュ−プッシュスイッチであることを特徴とする請求項２又は請求項３記載のスーツケース。
【手続補正２】
【補正対象書類名】明細書
【補正対象項目名】００１３
【補正方法】変更
【補正の内容】
【００１３】
請求項４に係る考案では、スイッチは、ライトの連続点灯−断続点灯−消灯を切り換え可能なプッシュ−プッシュスイッチであることを特徴とする。
【手続補正３】
【補正対象書類名】明細書
【補正対象項目名】００２０
【補正方法】変更
【補正の内容】
【００２０】
請求項４に係る考案では、スイッチは、ライトの連続点灯−断続点灯−消灯を切り換え可能なプッシュ−プッシュスイッチである。プッシュ−プッシュスイッチ１個で連続点灯−断続点灯−消灯の切り換えが可能となる。切り換えスイッチの個数を減らすことができる。
なお、連続点灯であれば、暗がりで小物や鍵穴を照らすことができ、これらを容易に探すことができる。
また、断続点灯であれば、周囲に注意を促すことができると共に電池の消耗を減らすことができる。